(57)【要約】【課題】支持台に外部から給電されなくても冷却ファンを駆動することができる携帯ユニット等を提供することを目的とする。【解決手段】支持台は、給電可能な支持台側コネクタと、コネクタの高電位側のピンと低電位側のピンとの間に接続された冷却機構と、コネクタの高電位側のピンと低電位側のピンに接続された支持台側端子と、を備える。携帯電子機器は、画像を表示する画像表示部と、給電可能な携帯電子機器側コネクタと、筐体が支持台に支持されている場合に複数の支持台側端子と電気的に接続する携帯電子機器側端子と、携帯電子機器各部に電力を供給するバッテリを含む電力部と、バッテリへの充電制御及び冷却機構の駆動制御を行う制御部と、を備える。制御部は、支持台側コネクタ及び携帯電子機器側コネクタのいずれにも外部から給電されていない場合には、バッテリの電力を携帯電子機器側端子及び支持台側端子を介して冷却機構に給電して駆動する。【選択図】図５
2011176643.tif 000002
【特許請求の範囲】
【請求項１】
携帯電子機器と、前記携帯電子機器の筐体を支持する支持台と、を有する携帯ユニットであって、
前記支持台は、
外部から給電可能な支持台側コネクタと、
前記コネクタの高電位側のピンと低電位側のピンとの間に接続された冷却機構と、
前記コネクタの高電位側のピンと低電位側のピンとにそれぞれ接続された支持台側端子と、
を備え、
前記携帯電子機器は、
画像を表示する画像表示部と、
外部から給電可能な携帯電子機器側コネクタと、
前記携帯電子機器の筐体が前記支持台に支持されている場合に前記支持台側端子と電気的に接続する携帯電子機器側端子と、
前記携帯電子機器各部に電力を供給するバッテリを含む電力部と、
前記バッテリへの充電の制御及び前記冷却機構の駆動制御を行う制御部と、
を備え、
前記制御部は、
前記支持台側コネクタ及び前記携帯電子機器側コネクタのいずれにも外部から給電されていない場合には、前記バッテリの電力を前記携帯電子機器側端子及び前記支持台側端子を介して前記冷却機構に給電して駆動すること
を特徴とする携帯ユニット。
【請求項２】
前記画像表示部は、画像を投影する画像投影部を備えること
を特徴とする請求項１に記載の携帯ユニット。
【請求項３】
前記制御部は、
前記支持台側コネクタ及び前記携帯電子機器側コネクタのいずれかに外部から給電されている場合には、前記バッテリへの充電を行うこと
を特徴とする請求項１又は２に記載の携帯ユニット。
【請求項４】
前記制御部は、
前記支持台側コネクタに外部から給電されている場合には、前記支持台側コネクタに給電されている電力で前記冷却機構を駆動するとともに、前記支持台側端子及び前記携帯電子機器側端子を介して給電される電力で前記バッテリを充電すること
を特徴とする請求項１〜３のいずれか１項に記載の携帯ユニット。
【請求項５】
前記制御部は、
前記携帯電子機器側コネクタに外部から給電されている場合には、前記携帯電子機器側コネクタに給電されている電力で前記バッテリを充電するとともに、前記バッテリから前記携帯電子機器側端子及び前記支持台側端子を介して給電される電力で前記冷却機構を駆動すること
を特徴とする請求項１〜４のいずれか１項に記載の携帯ユニット。
【請求項６】
前記支持台側コネクタに外部から給電される電力を前記バッテリに給電する送電経路となる前記支持台側端子及び前記携帯電子機器側端子と、前記バッテリの電力を前記冷却機構に給電する送電経路となる前記支持台側端子及び前記携帯電子機器側端子と、は共通であること
を特徴とする請求項１〜５のいずれか１項に携帯ユニット。
【請求項７】
外部から給電可能な支持台側コネクタと、前記コネクタの高電位側のピンと低電位側のピンとの間に接続された冷却機構と、前記コネクタの高電位側のピンと低電位側のピンとにそれぞれ接続された支持台側端子と、を備える支持台に筐体が支持されうる携帯電子機器であって、
前記携帯電子機器は、
画像を表示する画像表示部と、
外部から給電可能な携帯電子機器側コネクタと、
前記携帯電子機器の筐体が前記支持台に支持されている場合に前記支持台側端子と電気的に接続する携帯電子機器側端子と、
前記携帯電子機器各部に電力を供給するバッテリを含む電力部と、
前記バッテリへの充電の制御及び前記冷却機構の駆動制御を行う制御部と、
を備え、
前記制御部は、
前記支持台側コネクタ及び前記携帯電子機器側コネクタのいずれにも外部から給電されていない場合には、前記バッテリの電力を前記携帯電子機器側端子及び前記支持台側端子を介して前記冷却機構に給電して駆動すること
を特徴とする携帯電子機器。
【請求項８】
前記画像表示部は、画像を投影する画像投影部を備えること
を特徴とする請求項７に記載の携帯電子機器。
【請求項９】
前記制御部は、
前記支持台側コネクタ及び前記携帯電子機器側コネクタのいずれかに外部から給電されている場合には、前記バッテリへの充電を行うこと
を特徴とする請求項７又は８に記載の携帯電子機器。
【請求項１０】
前記制御部は、
前記支持台側コネクタに外部から給電されている場合には、前記支持台側コネクタに給電されている電力で前記冷却機構を駆動するとともに、前記支持台側端子及び前記携帯電子機器側端子を介して給電される電力で前記バッテリを充電すること
を特徴とする請求項７〜９のいずれか１項に記載の携帯電子機器。
【請求項１１】
前記制御部は、
前記携帯電子機器側コネクタに外部から給電されている場合には、前記携帯電子機器側コネクタに給電されている電力で前記バッテリを充電するとともに、前記バッテリから前記携帯電子機器側端子及び前記支持台側端子を介して給電される電力で前記冷却機構を駆動すること
を特徴とする請求項７〜１０のいずれか１項に記載の携帯電子機器。
【請求項１２】
前記支持台側コネクタに外部から給電される電力を前記バッテリに給電する送電経路となる前記支持台側端子及び前記携帯電子機器側端子と、前記バッテリの電力を前記冷却機構に給電する送電経路となる前記支持台側端子及び前記携帯電子機器側端子と、は共通であること
を特徴とする請求項７〜１１のいずれか１項に記載の携帯電子機器。
【発明の詳細な説明】
【技術分野】
【０００１】
本発明は、画像を表示する画像表示部を有する携帯ユニット及び携帯電子機器に関する。
【背景技術】
【０００２】
従来から、壁面やスクリーンに画像を投影する装置としては、いわゆるプロジェクタがある。このプロジェクタは、商用電源から電力が供給され、所定位置に固定した状態で使用される、いわゆる据え置き型の装置が主流である。この据え置き型のプロジェクタは、固定した状態で、一定箇所の壁面やスクリーンに画像を投影させる。
【０００３】
これに対して、近年、プロジェクタとして、小型で持ち運びが容易な携帯型のプロジェクタが提案されている。例えば、特許文献１には、上キャビネットと、下キャビネットと、上キャビネットおよび下キャビネットを互いに回動可能に接続するヒンジ部とを備え、レンズと光源とを有するプロジェクタが搭載されたプロジェクタ機能付携帯端末が記載されている。
【先行技術文献】
【特許文献】
【０００４】
【特許文献１】特開２００７−９６５４２号公報
【発明の概要】
【発明が解決しようとする課題】
【０００５】
ところで、プロジェクタは熱を発するので、携帯電子機器にプロジェクタを搭載する場合には、冷却ファンで冷却することが好ましい。しかしながら、携帯電子機器の筐体内に冷却ファンを搭載することは困難である。そこで、携帯電子機器の支持台（置き台）に冷却ファンを搭載することが考えられる。しかしながら、その場合には、支持台に外部のＡＣアダプタ等から給電しなければ、冷却ファンを駆動させることは出来ない。
【課題を解決するための手段】
【０００６】
上述した課題を解決し、目的を達成するために、本発明は、携帯電子機器と、前記携帯電子機器の筐体を支持する支持台と、を有する携帯ユニットであって、前記支持台は、外部から給電可能な支持台側コネクタと、前記コネクタの高電位側のピンと低電位側のピンとの間に接続された冷却機構と、前記コネクタの高電位側のピンと低電位側のピンとにそれぞれ接続された支持台側端子と、を備え、前記携帯電子機器は、画像を表示する画像表示部と、外部から給電可能な携帯電子機器側コネクタと、前記携帯電子機器の筐体が前記支持台に支持されている場合に前記複数の支持台側端子と電気的に接続する携帯電子機器側端子と、前記携帯電子機器各部に電力を供給するバッテリを含む電力部と、前記バッテリへの充電の制御及び前記冷却機構の駆動制御を行う制御部と、を備え、前記制御部は、前記支持台側コネクタ及び前記携帯電子機器側コネクタのいずれにも外部から給電されていない場合には、前記バッテリの電力を前記携帯電子機器側端子及び前記支持台側端子を介して前記冷却機構に給電して駆動することを特徴とする。
【０００７】
ここで、前記画像表示部は、画像を投影する画像投影部を備えることが好ましい。
【０００８】
また、前記制御部は、前記支持台側コネクタ及び前記携帯電子機器側コネクタのいずれかに外部から給電されている場合には、前記バッテリへの充電を行うことが好ましい。
【０００９】
また、前記制御部は、前記支持台側コネクタに外部から給電されている場合には、前記支持台側コネクタに給電されている電力で前記冷却機構を駆動するとともに、前記支持台側端子及び前記携帯電子機器側端子を介して給電される電力で前記バッテリを充電することが好ましい。
【００１０】
また、前記制御部は、前記携帯電子機器側コネクタに外部から給電されている場合には、前記携帯電子機器側コネクタに給電されている電力で前記バッテリを充電するとともに、前記バッテリから前記携帯電子機器側端子及び前記支持台側端子を介して給電される電力で前記冷却機構を駆動することが好ましい。
【００１１】
また、前記支持台側コネクタに外部から給電される電力を前記バッテリに給電する送電経路となる前記支持台側端子及び前記携帯電子機器側端子と、前記バッテリの電力を前記冷却機構に給電する送電経路となる前記支持台側端子及び前記携帯電子機器側端子と、は共通であることが好ましい。
【００１２】
本発明は、外部から給電可能な支持台側コネクタと、前記コネクタの高電位側のピンと低電位側のピンとの間に接続された冷却機構と、前記コネクタの高電位側のピンと低電位側のピンとにそれぞれ接続された支持台側端子と、を備える支持台に筐体が支持されうる携帯電子機器であって、前記携帯電子機器は、画像を表示する画像表示部と、外部から給電可能な携帯電子機器側コネクタと、前記携帯電子機器の筐体が前記支持台に支持されている場合に前記複数の支持台側端子と電気的に接続する複数の携帯電子機器側端子と、前記携帯電子機器各部に電力を供給するバッテリを含む電力部と、前記バッテリへの充電の制御及び前記冷却機構の駆動制御を行う制御部と、を備え、前記制御部は、前記支持台側コネクタ及び前記携帯電子機器側コネクタのいずれにも外部から給電されていない場合には、前記バッテリの電力を前記携帯電子機器側端子及び前記支持台側端子を介して前記冷却機構に給電して駆動することを特徴とする。
【００１３】
ここで、前記画像表示部は、画像を投影する画像投影部を備えることが好ましい。
【００１４】
また、前記制御部は、前記支持台側コネクタ及び前記携帯電子機器側コネクタのいずれかに外部から給電されている場合には、前記バッテリへの充電を行うことが好ましい。
【００１５】
また、前記制御部は、前記支持台側コネクタに外部から給電されている場合には、前記支持台側コネクタに給電されている電力で前記冷却機構を駆動するとともに、前記支持台側端子及び前記携帯電子機器側端子を介して給電される電力で前記バッテリを充電することが好ましい。
【００１６】
また、前記制御部は、前記携帯電子機器側コネクタに外部から給電されている場合には、前記携帯電子機器側コネクタに給電されている電力で前記バッテリを充電するとともに、前記バッテリから前記携帯電子機器側端子及び前記支持台側端子を介して給電される電力で前記冷却機構を駆動することが好ましい。
【００１７】
また、前記支持台側コネクタに外部から給電される電力を前記バッテリに給電する送電経路となる前記支持台側端子及び前記携帯電子機器側端子と、前記バッテリの電力を前記冷却機構に給電する送電経路となる前記支持台側端子及び前記携帯電子機器側端子と、は共通であることが好ましい。
【発明の効果】
【００１８】
本発明にかかる携帯ユニット及び携帯電子機器は、外部から支持台に給電しなくても冷却機構を駆動することができるという効果を奏する。
【図面の簡単な説明】
【００１９】
【図１】図１は、携帯電子機器を備える携帯ユニットの一実施形態の概略構成を示す斜視図である。
【図２】図２は、図１に示す携帯電子機器の機能の概略構成を示すブロック図である。
【図３】図３は、図１に示す携帯電子機器で画像を表示させている状態を示す説明図である。
【図４】図４は、図２に示す充電及びファン制御部の回路構成の一例を示す回路図である。
【図５】図５は、図１に示す携帯電子機器で画像を表示させている他の状態を示す説明図である。
【図６】図６は、図２に示す充電及びファン制御部の回路構成の他の例を示す回路図である。
【図７】図７は、図１に示す充電台及び外部電源端子の接続状態と図６に示すシステムＩＣの第２の電圧検出端子の電位との関係を示す表である。
【図８−１】図８−１は、携帯電子機器の動作の一例を示すフロー図である。
【図８−２】図８−２は、携帯電子機器の動作の他の例を示すフロー図である。
【発明を実施するための形態】
【００２０】
以下、本発明につき図面を参照しつつ詳細に説明する。なお、以下の説明により本発明が限定されるものではない。また、以下の説明における構成要素には、当業者が容易に想定できるもの、実質的に同一のもの、いわゆる均等の範囲のものが含まれる。以下においては、携帯電子機器として携帯電話機を例として説明するが、本発明の適用対象は携帯電話機に限定されるものではなく、例えば、ＰＨＳ（Personal Handyphone System）、ＰＤＡ、ポータブルナビゲーション装置、ノートパソコン、ゲーム機等に対しても本発明は適用できる。
【００２１】
まず、携帯電子機器を有する携帯ユニットの外観の構成を説明する。図１は、携帯電子機器を有する携帯ユニットの一実施形態の概略構成を示す斜視図である。携帯ユニット１は、携帯電子機器１０と、携帯電子機器１０を支持可能な台である充電台６２と、一方の端部が充電台６２と接続し、他方の端部がＡＣアダプタ、コンセント等の外部電力供給部と接続されている外部電源端子６４とを有する。携帯ユニット１は、携帯電子機器１０を充電台６２の所定位置に載置し、充電台６２で携帯電子機器１０を支持している状態にしたら、外部電源端子６４と充電台６２を介して外部電力から携帯電子機器１０に電力を供給させ、携帯電子機器１０を充電、または、携帯電子機器１０に電力を供給する。
【００２２】
次に、携帯電子機器１０について説明する。図１に示すように、携帯電子機器１０は、無線通信機能を備えた携帯電話機である。携帯電子機器１０は、１つの箱型形状の筐体１１の内部に各部が収納されたストレート形状の携帯電話機である。なお、本実施形態では、筐体１１を１つの箱型形状としたが、ヒンジで連結された２つの部材で構成した折りたたみ可能な筐体や、２つの部材をスライドさせる筐体としてもよい。また、３つ以上の部材を連結した筐体も用いることができる。
【００２３】
筐体１１には、表示部として、図１に示すディスプレイ１２が設けられる。ディスプレイ１２は、所定の画像として、携帯電子機器１０が受信を待機している状態のときに待ち受け画像を表示したり、携帯電子機器１０の操作を補助するために用いられるメニュー画像を表示したりする。
【００２４】
筐体１１には、通話相手の電話番号や、メール作成時等に文字を入力するための操作キー１３が複数設けられている。さらに、筐体１１の一つの側部（操作キー１３が設けられる面と略直交する面のうちの一つ）には、後述するプロジェクタ３４の動作を制御する専用キー１４が設けられる。なお、操作キー１３及び専用キー１４は、携帯電子機器１０の操作部を構成する。また、筐体１１には、携帯電子機器１０の通話時に音声を受け取るマイク１５、携帯電子機器１０の通話時に音声を発するレシーバ１６が設けられる。
【００２５】
また、筐体１１の上面（一辺が、操作キー１３が設けられる面と接し、他の一辺が、専用キー１４が設けられている面と接している面）には、画像を投影するプロジェクタ３４の光射出部３４ａが設けられている。
【００２６】
図２は、図１に示す携帯電子機器の機能の概略構成を示すブロック図である。図２に示すように携帯電子機器１０は、制御部２２と、記憶部２４と、送受信部２６と、操作部２８と、音声処理部３０と、表示部３２と、プロジェクタ３４と、バッテリ４０と、充電及びファン制御部４２と、を有する。
【００２７】
制御部２２は、ＣＰＵ（Central Processing Unit）等の携帯電子機器１０の全体的な動作を統括的に制御する処理部である。すなわち、携帯電子機器１０の各種の処理が、操作部２８の操作や携帯電子機器１０の記憶部２４に保存されるソフトウェアに応じて適切な手順で実行されるように、送受信部２６や、音声処理部３０や、表示部３２等の動作を制御する。携帯電子機器１０の各種の処理としては、例えば、回線交換網を介して行われる音声通話、電子メールの作成及び送受信、インターネットのＷｅｂ（World Wide Web）サイトの閲覧等がある。また、送受信部２６、音声処理部３０、表示部３２等の動作としては、例えば、送受信部２６による信号の送受信、音声処理部３０による音声の入出力、表示部３２による画像の表示等がある。
【００２８】
制御部２２は、記憶部２４に保存されているプログラム（例えば、オペレーティングシステムプログラム、アプリケーションプログラム等）に基づいて処理を実行する。制御部２２は、例えば、マイクロプロセッサユニット（ＭＰＵ：Micro Processor Unit）で構成され、前記ソフトウェアで指示された手順にしたがって上述した携帯電子機器１０の各種の処理を実行する。すなわち、制御部２２は、記憶部２４に保存されるオペレーティングシステムプログラムやアプリケーションプログラム等から命令コードを順次読み込んで処理を実行する。
【００２９】
制御部２２は、複数のアプリケーションプログラムを実行する機能を有する。制御部２２が実行するアプリケーションプログラムとしては、例えば、プロジェクタの駆動を制御するアプリケーションプログラムや、各種ゲームを作動させるゲームアプリケーションプログラム等の複数のアプリケーションプログラムがある。
【００３０】
記憶部２４には、制御部２２での処理に利用されるソフトウェアやデータが保存されており、上述した、プロジェクタの駆動を制御するアプリケーションプログラムを作動させるタスクや、各種ゲームアプリケーションプログラムを作動させるタスクが保存されている。
【００３１】
また、記憶部２４には、これらのタスク以外にも、例えば、通信、ダウンロードされた音声データ、あるいは記憶部２４に対する制御に制御部２２が用いるソフトウェア、通信相手の電話番号やメールアドレス等を保存し、管理するアドレス帳、発信音や着信音等の音声ファイル、ソフトウェアの処理過程で用いられる一時的なデータ等が保存されている。なお、ソフトウェアの処理過程で用いられるコンピュータプログラムや一時的なデータは、制御部２２によって記憶部２４に割り当てられた作業領域へ一時的に保存される。記憶部２４は、例えば、不揮発性の記憶デバイス（ＲＯＭ：Read Only Memory等の不揮発性半導体メモリ、ハードディスク装置等）や、読み書き可能な記憶デバイス（例えば、ＳＲＡＭ：Static Random Access Memory、ＤＲＡＭ：Dynamic Random Access Memory）等で構成される。
【００３２】
送受信部２６は、アンテナ２６ａを有し、基地局によって割り当てられるチャネルを介し、基地局との間でＣＤＭＡ方式などによる無線信号回線を確立し、基地局との間で電話通信及び情報通信を行う。
【００３３】
操作部２８は、例えば、電源キー、通話キー、数字キー、文字キー、方向キー、決定キー、発信キーなど、各種の機能が割り当てられた操作キー１３と専用キー１４とで構成され、これらのキーがユーザの操作により入力されると、その操作内容に対応する信号を発生させる。そして、発生した信号は、ユーザの指示として制御部２２へ入力される。
【００３４】
音声処理部３０は、マイク１５に入力される音声信号やレシーバ１６から出力される音声信号の処理を実行する。すなわち、音声処理部３０は、マイク１５から入力される音声を増幅し、ＡＤ変換（Analog Digital変換）を実行した後さらに符号化等の信号処理を施して、ディジタルの音声データに変換して制御部２２へ出力する。また、制御部２２から送られる音声データに対して復号化、ＤＡ変換（Digital Analog変換）、増幅等の処理を施してアナログの音声信号に変換してから、レシーバ１６へ出力する。
【００３５】
表示部３２は、液晶ディスプレイ（ＬＣＤ、Liquid Crystal Display）や、有機ＥＬ（Organic Electro-Luminescence）パネルなどで構成された表示パネル（上述したディスプレイ１２等）を備え、制御部２２から供給される映像データに応じた映像、画像データに応じた画像を表示パネルに表示させる。なお、表示部３２は、ディスプレイ１２に加え、例えば、筐体を閉じた状態でも外部に露出している位置にサブディスプレイを設けてもよい。
【００３６】
プロジェクタ３４は、画像を投影する画像投影機構であり、上述したように、筐体１１の上面に画像を投影する光射出部３４ａが設けられている。ここで、図３は、図１に示す携帯電子機器で画像を表示させている状態を示す説明図である。携帯電子機器１０は、プロジェクタ３４の光射出部３４ａから画像を投影する、つまり画像を構成する光を射出することで、図３に示すように、筐体１１の上面に対向する面にある壁面、スクリーン等のうち、一定の領域（投影領域）に画像を投影することができる。なお、プロジェクタ３４は、制御部２２により動作が制御され、制御部２２から送られる種々の映像、例えば映画、プレゼンテーション資料を投影し、投影領域に表示させる。
【００３７】
プロジェクタ３４は、光源と、画像データに応じて、光源から射出された光を投影するか否かを切り換える光学系とで構成されている。例えば、プロジェクタ３４には、ハロゲンライトや、ＬＥＤ光源、ＬＤ光源を光源とし、ＬＣＤ（Liquid Crystal Display）や、ＤＭＤ（Digital Micro-mirror Device）を光学系とした構成のプロジェクタを用いることができる。この場合は、光学系を各画素に対応して投影領域の全面に配置し、光源から射出された光を画像に合わせて光学系をオンオフさせることで画像を投影領域の全面に投影させることができる。また、プロジェクタ３４には、レーザ光を光源とし、光源から射出された光を透過させるか否かを切り換える切り換え素子と、切り換え素子を通過した光をラスター走査させるミラーとで構成される光学系とした構成のプロジェクタを用いることもできる。この場合は、ミラーによってレーザ光から射出された光の角度を変えて、投影領域の全面に光源から照射された光を走査させることで、投影領域に画像を投影させることができる。
【００３８】
バッテリ４０は、充電可能な二次電池であり、蓄電された電力を制御部２２に供給し、携帯電子機器１０の各部を作動させる。
【００３９】
充電及びファン制御部４２は、バッテリ４０の電力の残量や、外部電源の接続状況に応じてバッテリ４０を充電したり、充電台６２内のファン６８を回転させたりする。
【００４０】
図４は、充電及びファン制御部４２と充電台６２の回路構成の一例を示す回路図である。充電台６２は、外部電源端子６４が接続可能なコネクタＣ２と、コネクタＣ２の高電位側（ここでは、５Ｖとする）のピンに接続された端子Ｐ１０及びＰ１１と、コネクタＣ２の低電位側（ここでは、０Ｖとする）のピンに接続された端子Ｐ１２と、コネクタＣ２の高電位側のピンと低電位側のピンとの間に接続されたファン６８と、ファン６８の制御入力ピンに接続された端子Ｐ１３と、を有する。外部電源端子６４がコネクタＣ２に接続された場合、端子Ｐ１０及びＰ１１は高電位となり、端子Ｐ１２は低電位となる。
【００４１】
充電及びファン制御部４２は、筐体１１が充電台６２の所定位置に所定の姿勢で載置（または支持）されている場合に端子Ｐ１０〜Ｐ１３とそれぞれ電気的に接続される端子Ｐ０〜Ｐ３を有する。また、充電及びファン制御部４２は、外部電源端子６４が接続可能なコネクタＣ１を有する。さらに、充電及びファン制御部４２は、ダイオードＤ１〜Ｄ３と、トランジスタＴｒ１と、抵抗Ｒ０と、スイッチＳＷ１と、システムＩＣ７０と、を有する。
【００４２】
ダイオードＤ１のアノードは、コネクタＣ１の高電位側のピンに接続され、ダイオードＤ１のカソードは、トランジスタＴｒ１のコレクタに接続されている。ダイオードＤ２のアノードは、端子Ｐ１に接続され、ダイオードＤ２のカソードは、トランジスタＴｒ１のコレクタに接続されている。トランジスタＴｒ１のエミッタは、バッテリ４０の正極に接続されている。
【００４３】
スイッチＳＷ１の入力端子は、バッテリ４０の正極に接続され、スイッチＳＷ１の出力端子は、ダイオードＤ３のアノードに接続されている。ダイオードＤ３のカソードは、端子Ｐ０に接続されている。
【００４４】
システムＩＣ７０の第１の電圧検出端子ＡＤＥＴは、コネクタＣ１の高電位側のピンに接続されている。システムＩＣ７０の第２の電圧検出端子ＤＤＥＴは、端子Ｐ１に接続されている。システムＩＣ７０の充電制御信号出力端子ＣＨＧ＿ＣＯＮＴは、抵抗Ｒ０を介してトランジスタＴｒ１のベースに接続されている。システムＩＣ７０のスイッチ制御信号出力端子ＰＡＳＳは、スイッチＳＷ１の制御端子に接続されている。システムＩＣ７０のファン制御信号出力端子ＦＡＮ＿ＣＯＮＴは、端子Ｐ３に接続されている。システムＩＣ７０のプロジェクタ動作検出端子ＰＲＯＪ＿ＯＮは、プロジェクタ３４に接続されている。なお、端子Ｐ２は接地されている。
【００４５】
次に、充電台６２は、上述したように携帯電子機器１０を支持する支持部材である。充電台６２には、レンズ部６６と、ファン６８とが設けられている。レンズ部６６は、携帯電子機器１０を載置した時に、携帯電子機器１０の光射出部３４ａと対面する位置に設けられている。レンズ部６６は、光射出部３４ａから射出された光の広角（照射画角）をより広げる拡大レンズである。以下、図５を用いて説明する。ここで、図５は、図１に示す携帯電子機器で画像を表示させている他の状態を示す説明図である。図５に示すように、携帯電子機器１０を充電台６２に載置すると、プロジェクタ３４の光射出部３４ａとレンズ部６６とが対面する状態となる。この状態で、プロジェクタ３４により画像の投影を行うと、図５に示すように、レンズ部６６を通過させない場合（つまりレンズ部６６がないと仮定した場合）に投影される光の投影領域（照射範囲）Ａよりも広い領域である投影領域Ｂの範囲に画像を投影させることができる。つまり、レンズ部６６を通過させることで、投影面（照射面）により大きい画像を投影することができる。なお、レンズ部６６としては、屈折率、焦点距離が固定されたレンズを用いてもよいが、屈折率、焦点距離を変化させることができるズームレンズを用いることが好ましい。ズームレンズを用いることで、光の照射領域を調整することができる。
【００４６】
ファン６８は、レンズ部６６の近傍に配置されており、充電台６２の所定位置に載置（搭載）された携帯電子機器１０のプロジェクタ３４に送風し、プロジェクタ３４を冷却する。なお、ファン６８は、プロジェクタ３４の近傍の空気を吸引し、携帯電子機器１０から離れる方向に空気を排出することで、プロジェクタ３４の周辺の空気を入れ替えて、プロジェクタ３４を冷却するようにしても、プロジェクタ３４に空気を吹き付けることで、プロジェクタ３４を冷却するようにしてもよい。
【００４７】
次に、充電及びファン制御部４２の動作について説明する。まず、筐体１１が充電台６２の所定位置に所定の姿勢で載置されておらず、且つ、コネクタＣ１に外部電源端子６４が接続されていない場合について説明する。この場合、システムＩＣ７０の第１、第２の電圧検出端子ＡＤＥＴ、ＤＤＥＴはいずれもハイインピーダンスとなり、システムＩＣ７０はバッテリ４０の充電を行わない。つまり、システムＩＣ７０は充電制御信号出力端子ＣＨＧ＿ＣＯＮＴから非活性化された充電制御信号を出力する。これにより、トランジスタＴｒ１はオフ状態になり、バッテリ４０の充電は行われない。
【００４８】
次に、筐体１１が充電台６２の所定位置に所定の姿勢で載置されておらず、且つ、コネクタＣ１に外部電源端子６４が接続されている場合について説明する。この場合、システムＩＣ７０の第１の電圧検出端子ＡＤＥＴは高電位（５Ｖ）となり、システムＩＣ７０はバッテリ４０の充電を行う。つまり、システムＩＣ７０は充電制御信号出力端子ＣＨＧ＿ＣＯＮＴから活性化された充電制御信号を出力する。これにより、トランジスタＴｒ１がオン状態となり、外部電源端子６４〜コネクタＣ１〜ダイオードＤ１〜トランジスタＴｒ１〜バッテリ４０という経路を経由して外部電源端子６４から供給される電力がバッテリ４０に充電される。
【００４９】
次に、筐体１１が充電台６２の所定位置に所定の姿勢で載置されており、且つ、コネクタＣ１及びコネクタＣ２のいずれにも外部電源端子６４が接続されていない場合について説明する。この場合、システムＩＣ７０の第１の電圧検出端子ＡＤＥＴはハイインピーダンスとなり、第２の電圧検出端子ＤＤＥＴは低電位（０Ｖ）となり、システムＩＣ７０はバッテリ４０の充電を行わない。つまり、システムＩＣ７０は充電制御信号出力端子ＣＨＧ＿ＣＯＮＴから非活性化された充電制御信号を出力する。これにより、トランジスタＴｒ１はオフ状態となり、バッテリ４０の充電は行われない。また、システムＩＣ７０はファン６８を回転させる。つまり、システムＩＣ７０は、スイッチ制御信号出力端子ＰＡＳＳから活性化されたスイッチ制御信号を出力する。これにより、スイッチＳＷ１はオン状態となり、バッテリ４０〜スイッチＳＷ１〜ダイオードＤ３〜端子Ｐ０〜端子Ｐ１０〜ファン６８という経路を経由して、バッテリ４０からファン６８に電力が供給される。また、システムＩＣ７０は、ファン制御信号出力端子ＦＡＮ＿ＣＯＮＴから活性化されたファン制御信号を出力する。これにより、ファン６８は回転する。
【００５０】
次に、筐体１１が充電台６２の所定位置に所定の姿勢で載置されており、且つ、コネクタＣ１に外部電源端子６４が接続されている場合について説明する。この場合、システムＩＣ７０の第１の電圧検出端子ＡＤＥＴは高電位（５Ｖ）となり、システムＩＣ７０はバッテリ４０の充電を行う。つまり、システムＩＣ７０は充電制御信号出力端子ＣＨＧ＿ＣＯＮＴから活性化された充電制御信号を出力する。これにより、トランジスタＴｒ１がオン状態となり、外部電源端子６４〜コネクタＣ１〜ダイオードＤ１〜トランジスタＴｒ１〜バッテリ４０という経路を経由して外部電源端子６４から供給される電力がバッテリ４０に充電される。また、システムＩＣ７０はファン６８を回転させる。つまり、システムＩＣ７０は、スイッチ制御信号出力端子ＰＡＳＳから活性化されたスイッチ制御信号を出力する。これにより、スイッチＳＷ１はオン状態となり、バッテリ４０〜スイッチＳＷ１〜ダイオードＤ３〜端子Ｐ０〜端子Ｐ１０〜ファン６８という経路を経由して、バッテリ４０からファン６８に電力が供給される。また、システムＩＣ７０は、ファン制御信号出力端子ＦＡＮ＿ＣＯＮＴから活性化されたファン制御信号を出力する。これにより、ファン６８は回転する。
【００５１】
次に、筐体１１が充電台６２の所定位置に所定の姿勢で載置されており、且つ、コネクタＣ２に外部電源端子６４が接続されている場合について説明する。この場合、システムＩＣ７０の第２の電圧検出端子ＤＤＥＴは高電位（５Ｖ）となり、システムＩＣ７０はバッテリ４０の充電を行う。つまり、システムＩＣ７０は充電制御信号出力端子ＣＨＧ＿ＣＯＮＴから活性化された充電制御信号を出力する。これにより、トランジスタＴｒ１がオン状態となり、外部電源端子６４〜コネクタＣ２〜端子Ｐ１１〜端子Ｐ１〜ダイオードＤ２〜トランジスタＴｒ１〜バッテリ４０という経路を経由して外部電源端子６４から供給される電力がバッテリ４０に充電される。また、システムＩＣ７０はファン６８を回転させる。つまり、システムＩＣ７０はスイッチ制御信号出力端子ＰＡＳＳから活性化されたスイッチ制御信号を出力する。これにより、スイッチＳＷ１はオン状態となり、バッテリ４０〜スイッチＳＷ１〜ダイオードＤ３〜端子Ｐ０〜端子Ｐ１０〜ファン６８という経路を経由して、バッテリ４０からファン６８に電力が供給される。また、システムＩＣ７０は、ファン制御信号出力端子ＦＡＮ＿ＣＯＮＴから活性化されたファン制御信号を出力する。これにより、ファン６８は回転する。
【００５２】
以上説明したように、充電及びファン制御部４２は、筐体１１が充電台６２の所定位置に所定の姿勢で載置されておらず、且つ、コネクタＣ１に外部電源端子６４が接続されている場合には、バッテリ４０の充電を行うことができる。また、充電及びファン制御部４２は、筐体１１が充電台６２の所定位置に所定の姿勢で載置されており、且つ、コネクタＣ１及びコネクタＣ２のいずれにも外部電源端子６４が接続されていない場合には、バッテリ４０の電力でファン６８を回転させることができる。また、充電及びファン制御部４２は、筐体１１が充電台６２の所定位置に所定の姿勢で載置されており、且つ、コネクタＣ１に外部電源端子６４が接続されている場合には、バッテリ４０の充電を行うとともにバッテリ４０の電力でファン６８を回転させることができる。また、充電及びファン制御部４２は、筐体１１が充電台６２の所定位置に所定の姿勢で載置されており、且つ、コネクタＣ２に外部電源端子６４が接続されている場合には、バッテリ４０の充電を行うとともに外部電源端子６４から給電される電力でファン６８を回転させることができる。
【００５３】
図６は、充電及びファン制御部４２と充電台６２の回路構成の他の例を示す回路図である。充電台６２は、外部電源端子６４が接続可能なコネクタＣ２と、コネクタＣ２の高電位側（ここでは、５Ｖとする）のピンに接続された端子Ｐ１１と、コネクタＣ２の低電位側（ここでは、０Ｖとする）のピンに接続された端子Ｐ１２と、コネクタＣ２の高電位側のピンと低電位側のピンとの間に接続されたファン６８と、ファン６８の制御入力ピンに接続された端子Ｐ１３と、を有する。外部電源端子６４がコネクタＣ２に接続された場合、端子Ｐ１１は高電位となり、端子Ｐ１２は低電位となる。
【００５４】
充電及びファン制御部４２は、筐体１１が充電台６２の所定位置に所定の姿勢で載置（または支持）されている場合に端子Ｐ１１〜Ｐ１３とそれぞれ電気的に接続される端子Ｐ１〜Ｐ３を有する。また、充電及びファン制御部４２は、外部電源端子６４が接続可能なコネクタＣ１を有する。さらに、充電及びファン制御部４２は、ダイオードＤ１〜Ｄ３と、トランジスタＴｒ１と、抵抗Ｒ０〜Ｒ３と、スイッチＳＷ１と、システムＩＣ７０と、を有する。
【００５５】
ダイオードＤ１のアノードは、コネクタＣ１の高電位側のピンに接続され、ダイオードＤ１のカソードは、トランジスタＴｒ１のコレクタに接続されている。ダイオードＤ２のアノードは、端子Ｐ１に接続され、ダイオードＤ２のカソードは、トランジスタＴｒ１のコレクタに接続されている。トランジスタＴｒ１のエミッタは、バッテリ４０の正極に接続されている。
【００５６】
スイッチＳＷ１の入力端子は、バッテリ４０の正極に接続され、スイッチＳＷ１の出力端子は、ダイオードＤ３のアノードに接続されている。ダイオードＤ３のカソードは、端子Ｐ１に接続されている。
【００５７】
システムＩＣ７０の第１の電圧検出端子ＡＤＥＴは、コネクタＣ１の高電位側のピンに接続されている。システムＩＣ７０の第２の電圧検出端子ＤＤＥＴは、抵抗Ｒ３を介して端子Ｐ１に接続されている。また、システムＩＣ７０の第２の電圧検出端子ＤＤＥＴは、所定の電位ＶＡＤと抵抗Ｒ１を介して接続されており、接地電位と抵抗Ｒ２を介して接続されている。システムＩＣ７０の充電制御信号出力端子ＣＨＧ＿ＣＯＮＴは、抵抗Ｒ０を介してトランジスタＴｒ１のベースに接続されている。システムＩＣ７０のスイッチ制御信号出力端子ＰＡＳＳは、スイッチＳＷ１の制御端子に接続されている。システムＩＣ７０のファン制御信号出力端子ＦＡＮ＿ＣＯＮＴは、端子Ｐ３に接続されている。システムＩＣ７０のプロジェクタ動作検出端子ＰＲＯＪ＿ＯＮは、プロジェクタ３４に接続されている。なお、端子Ｐ２は接地されている。
【００５８】
図６に示す回路では、図４に示す回路と比較して、端子Ｐ０及びＰ１０を無くしている。このように部品点数を減らすことでコストダウンを実現することができるとともに、携帯電子機器１０及び充電台６２の筐体を小さくすることができる。
【００５９】
次に、充電及びファン制御部４２の、筐体１１の充電台６２への載置状態及びコネクタＣ１、Ｃ２への外部電源端子６４の接続状態の判定について説明する。なお、以下において、ＲＦＡＮ（ファン６８の停止時の抵抗）＜＜Ｒ１、Ｒ２、Ｒ３、ＲＦＡＮ＝１ｋΩ、Ｒ１＝Ｒ２＝Ｒ３＝１００ｋΩ、ＶＡＤ＝３Ｖ、ＶＣＨＧ（外部電源端子６４の電圧）＝５Ｖ、ＶＢＡＴ（バッテリ４０の電圧）＝３．２〜４．２Ｖとする。
【００６０】
筐体１１が充電台６２の所定位置に所定の姿勢で載置されておらず、且つ、コネクタＣ２に外部電源端子６４が接続されておらず、スイッチＳＷ１がオフ状態の場合、コネクタＣ１に外部電源端子６４が接続されているか否かにかかわらず、システムＩＣ７０の第２の電圧検出端子ＤＤＥＴの電位ＶＤＤＥＴは、
【数１】
2011176643.tif 000003
で表される。前述した数値を式（１）に代入すると、
ＶＤＤＥＴ＝１．５Ｖ
となる。
【００６１】
筐体１１が充電台６２の所定位置に所定の姿勢で載置されておらず、且つ、コネクタＣ２に外部電源端子６４が接続されておらず、スイッチＳＷ１がオン状態の場合、コネクタＣ１に外部電源端子６４が接続されているか否かにかかわらず、システムＩＣ７０の第２の電圧検出端子ＤＤＥＴの電位ＶＤＤＥＴは、
【数２】
2011176643.tif 000004
で表される。前述した数値を式（２）に代入すると、
ＶＤＤＥＴ＝２〜２．３３Ｖ
となる。
【００６２】
筐体１１が充電台６２の所定位置に所定の姿勢で載置されており、且つ、コネクタＣ２に外部電源端子６４が接続されておらず、スイッチＳＷ１がオフ状態の場合、コネクタＣ１に外部電源端子６４が接続されているか否かにかかわらず、システムＩＣ７０の第２の電圧検出端子ＤＤＥＴの電位ＶＤＤＥＴは、
【数３】
2011176643.tif 000005
で表される。前述した数値を式（３）に代入すると、
ＶＤＤＥＴ＝１．０Ｖ
となる。
【００６３】
筐体１１が充電台６２の所定位置に所定の姿勢で載置されており、且つ、コネクタＣ２に外部電源端子６４が接続されておらず、スイッチＳＷ１がオン状態の場合、コネクタＣ１に外部電源端子６４が接続されているか否かにかかわらず、システムＩＣ７０の第２の電圧検出端子ＤＤＥＴの電位ＶＤＤＥＴは、
【数４】
2011176643.tif 000006
で表される。前述した数値を式（４）に代入すると、
ＶＤＤＥＴ＝２〜２．３３Ｖ
となる。
【００６４】
筐体１１が充電台６２の所定位置に所定の姿勢で載置されており、且つ、コネクタＣ２に外部電源端子６４が接続されている場合、スイッチＳＷ１のオン／オフにかかわらず、システムＩＣ７０の第２の電圧検出端子ＤＤＥＴの電位ＶＤＤＥＴは、
【数５】
2011176643.tif 000007
で表される。前述した数値を式（５）に代入すると、
ＶＤＤＥＴ＝２．６６Ｖ
となる。
【００６５】
図７は、上述した筐体１１の充電台６２への載置状態及び充電台６２のコネクタＣ２への外部電源端子６４の接続状態とシステムＩＣ７０の第２の電圧検出端子ＤＤＥＴの電位ＶＤＤＥＴとの関係を示す表である。なお、図７において、コネクタＣ１に外部電源端子６４の電圧ＶＣＨＧが印加されていることをＡＣＨＧ、コネクタＣ２に外部電源端子６４の電圧ＶＣＨＧが印加されていることをＤＣＨＧでそれぞれ表している。
【００６６】
以上のように、筐体１１の充電台６２への載置状態及び充電台６２のコネクタＣ２への外部電源端子６４の接続状態に応じて第２の電圧検出端子ＤＤＥＴの電位ＶＤＤＥＴの値が変わるので、システムＩＣ７０は、第２の電圧検出端子ＤＤＥＴの電位ＶＤＤＥＴを判定することで、筐体１１の充電台６２への載置状態及び充電台６２のコネクタＣ２への外部電源端子６４の接続状態を判定することができる。なお、コネクタＣ１に外部電源端子６４の電圧ＶＣＨＧが印加されている場合には第１の電圧検出端子ＡＤＥＴが５Ｖになるので、充電及びファン制御部４２は、第１の電圧検出端子ＡＤＥＴの電位が５Ｖであるか否かでコネクタＣ１への外部電源端子６４の接続状態を判定することができる。
【００６７】
次に、充電及びファン制御部４２の動作について図８−１及び図８−２を参照しながら説明する。図８−１及び図８−２は、充電及びファン制御部４２の動作の一例を示すフロー図である。
【００６８】
まず、システムＩＣ７０は、ステップＳ１２として、ＡＣＨＧがあるか、つまりコネクタＣ１に外部電源端子６４の電圧ＶＣＨＧが印加されているか否かを判定する。なお、前述したように、コネクタＣ１に外部電源端子６４の電圧ＶＣＨＧが印加されている場合には第１の電圧検出端子ＡＤＥＴが５Ｖになるので、システムＩＣ７０は、第１の電圧検出端子ＡＤＥＴの電位が５Ｖであるか否かでＡＣＨＧの有無を判定することができる。
【００６９】
システムＩＣ７０は、ステップＳ１２でＡＣＨＧがあると判定したら（Ｙｅｓ）、ステップＳ１４として、バッテリ４０の充電を開始する。つまり、システムＩＣ７０は、バッテリ充電制御信号出力端子ＣＨＧ＿ＣＯＮＴから活性化されたバッテリ制御信号を出力し、トランジスタＴｒ１をオン状態にしてバッテリ４０の充電を開始し、処理をステップＳ１２に進める。
【００７０】
システムＩＣ７０は、ステップＳ１２でＡＣＨＧがないと判定したら（Ｎｏ）、ステップＳ１６として、ＤＣＨＧがあるか、つまりコネクタＣ２に外部電源端子６４の電圧ＶＣＨＧが印加されているか否かを判定する。なお、前述したように、コネクタＣ２に外部電源端子６４の電圧ＶＣＨＧが印加されている場合には第２の電圧検出端子ＤＤＥＴが２．６６Ｖになるので、システムＩＣ７０は、第２の電圧検出端子ＤＤＥＴの電位が２．６６Ｖであるか否かでＤＣＨＧの有無を判定することができる。
【００７１】
システムＩＣ７０は、ステップＳ１６でＤＣＨＧがあると判定したら（Ｙｅｓ）、ステップＳ１４として、バッテリ４０の充電を開始する。つまり、システムＩＣ７０は、バッテリ充電制御信号出力端子ＣＨＧ＿ＣＯＮＴから活性化されたバッテリ制御信号を出力し、トランジスタＴｒ１をオン状態にしてバッテリ４０の充電を開始し、処理をステップＳ１２に進める。
【００７２】
システムＩＣ７０は、ステップＳ１６でＤＣＨＧがないと判定したら（Ｎｏ）、ステップＳ１８として、筐体１１が充電台６２の所定位置に所定の姿勢で載置されているか否かを判定する。なお、前述したように、筐体１１が充電台６２の所定位置に所定の姿勢で載置されている場合には第２の電圧検出端子ＤＤＥＴが１．０Ｖになるので、システムＩＣ７０は、第２の電圧検出端子ＤＤＥＴの電位が１．０Ｖであるか否かで筐体１１が充電台６２の所定位置に所定の姿勢で載置されているか否かを判定することができる。
【００７３】
システムＩＣ７０は、ステップＳ１８で筐体１１が充電台６２の所定位置に所定の姿勢で載置されていないと判定したら（Ｎｏ）、処理をステップＳ１２に進める。
【００７４】
システムＩＣ７０は、ステップＳ１８で筐体１１が充電台６２の所定位置に所定の姿勢で載置されていると判定したら（Ｙｅｓ）、ステップＳ２０として、プロジェクタ３４が起動中であるか否かを判定する。なお、プロジェクタ３４の起動中にはプロジェクタ３４からプロジェクタ動作検出端子ＰＲＯＪ＿ＯＮに活性化された信号が入力されるので、システムＩＣ７０は、プロジェクタ動作検出端子ＰＲＯＪ＿ＯＮに入力される信号でプロジェクタ３４が起動中であるか否かを判定することができる。
【００７５】
システムＩＣ７０は、ステップＳ２０でプロジェクタ３４が起動中ではないと判定したら（Ｎｏ）、処理をステップＳ１２に進める。
【００７６】
システムＩＣ７０は、ステップＳ２０でプロジェクタ３４が起動中であると判定したら（Ｙｅｓ）、ステップＳ２２として、スイッチ制御信号出力端子ＰＡＳＳから活性化されたスイッチ制御信号をスイッチＳＷ１の制御端子に出力し、スイッチＳＷ１をオン状態にする。これにより、バッテリ４０〜スイッチＳＷ１〜ダイオードＤ３〜端子Ｐ１〜端子Ｐ１１という経路を経由して、バッテリ４０からファン６８に電力が供給される。
【００７７】
次に、システムＩＣ７０は、ステップＳ２４として、ファン制御信号出力端子ＦＡＮ＿ＣＯＮＴから活性化されたファン制御信号を出力する。これにより、ファン６８は回転する。
【００７８】
次に、システムＩＣ７０は、ステップＳ２６として、スイッチ制御信号出力端子ＰＡＳＳから出力するスイッチ制御信号を１／１０デューティオフ（スイッチＳＷ１を９０％オン状態、１０％オフ状態）にするタイマーをスタートさせる。
【００７９】
次に、システムＩＣ７０は、タイマーで１／１０デューティオフのタイミングになったら、ステップＳ２８として、スイッチ制御信号出力端子ＰＡＳＳから非活性化されたスイッチ制御信号をスイッチＳＷ１の制御端子に出力し、スイッチＳＷ１をオフ状態にする。
【００８０】
次に、システムＩＣ７０は、ステップＳ３０として、ＤＣＨＧがあるか否かを判定する。なお、前述したように、コネクタＣ２に外部電源端子６４の電圧ＶＣＨＧが印加されている場合には第２の電圧検出端子ＤＤＥＴが２．６６Ｖになるので、システムＩＣ７０は、第２の電圧検出端子ＤＤＥＴの電位が２．６６Ｖであるか否かでＤＣＨＧの有無を判定することができる。また、このステップは、稼働中にコネクタＣ２に外部電源端子６４が抜き差しされる場合を考慮したものである。
【００８１】
システムＩＣ７０は、ステップＳ３０でＤＣＨＧがあると判定したら（Ｙｅｓ）、ＤＣＨＧからファン６８に給電されるので、ステップＳ３２として、１／１０デューティオフのタイマーをストップし、ステップＳ３４として、スイッチ制御信号出力端子ＰＡＳＳから非活性化されたスイッチ制御信号をスイッチＳＷ１の制御端子に出力し、スイッチＳＷ１をオフ状態にし、処理をステップＳ１２に進める。
【００８２】
システムＩＣ７０は、ステップＳ３０でＤＣＨＧがないと判定したら（Ｎｏ）、ステップＳ３６として、筐体１１が充電台６２の所定位置に所定の姿勢で載置されているか否かを判定する。なお、前述したように、筐体１１が充電台６２の所定位置に所定の姿勢で載置されており、且つ、スイッチＳＷ１がオフ状態の場合には第２の電圧検出端子ＤＤＥＴが１．０Ｖになるので、システムＩＣ７０は、第２の電圧検出端子ＤＤＥＴの電位が１．０Ｖであるか否かで筐体１１が充電台６２の所定位置に所定の姿勢で載置されているか否かを判定することができる。また、このステップは、稼働中に筐体１１が充電台６２に抜き差しされる場合を考慮したものである。
【００８３】
システムＩＣ７０は、ステップＳ３６で筐体１１が充電台６２の所定位置に所定の姿勢で載置されていないと判定したら（Ｎｏ）、ステップＳ３８として、ファン制御信号出力端子ＦＡＮ＿ＣＯＮＴから非活性化されたファン制御信号を出力する。その後、システムＩＣ７０は、ステップＳ３２として、１／１０デューティオフのタイマーをストップし、ステップＳ３４として、スイッチ制御信号出力端子ＰＡＳＳから非活性化されたスイッチ制御信号をスイッチＳＷ１の制御端子に出力し、スイッチＳＷ１をオフ状態にし、処理をステップＳ１２に進める。
【００８４】
システムＩＣ７０は、ステップＳ３６で筐体１１が充電台６２の所定位置に所定の姿勢で載置されていると判定したら（Ｙｅｓ）、ステップＳ４０として、ＡＣＨＧがあるか否かを判定する。なお、前述したように、コネクタＣ１に外部電源端子６４の電圧ＶＣＨＧが印加されている場合には第１の電圧検出端子ＡＤＥＴが５Ｖになるので、システムＩＣ７０は、第１の電圧検出端子ＡＤＥＴの電位が５Ｖであるか否かでＡＣＨＧの有無を判定することができる。また、このステップは、稼働中にコネクタＣ１に外部電源端子６４が抜き差しされる場合を考慮したものである。
【００８５】
システムＩＣ７０は、ステップＳ４０でＡＣＨＧがあると判定した場合（Ｙｅｓ）、ステップＳ３２として、１／１０デューティオフのタイマーをストップし、ステップＳ３４として、スイッチ制御信号出力端子ＰＡＳＳから非活性化されたスイッチ制御信号をスイッチＳＷ１の制御端子に出力し、スイッチＳＷ１をオフ状態にし、処理をステップＳ１２に進める。
【００８６】
システムＩＣ７０は、ステップＳ４０でＡＣＨＧがないと判定した場合（Ｎｏ）、タイマーでデューティオンのタイミングになったら、ステップＳ４２として、スイッチ制御信号出力端子ＰＡＳＳから活性化されたスイッチ制御信号をスイッチＳＷ１の制御端子に出力し、スイッチＳＷ１をオン状態にし、処理をステップＳ２８に進める。
【００８７】
以上説明したように、充電及びファン制御部４２は、筐体１１が充電台６２の所定位置に所定の姿勢で載置されておらず、且つ、コネクタＣ１に外部電源端子６４が接続されている場合には、バッテリ４０の充電を行うことができる。また、充電及びファン制御部４２は、筐体１１が充電台６２の所定位置に所定の姿勢で載置されており、且つ、コネクタＣ１及びコネクタＣ２に外部電源端子６４が接続されていない場合には、バッテリ４０の電力でファン６８を回転させることができる。また、充電及びファン制御部４２は、筐体１１が充電台６２の所定位置に所定の姿勢で載置されており、且つ、コネクタＣ１に外部電源端子６４が接続されている場合には、バッテリ４０の充電を行うとともにバッテリ４０の電力でファン６８を回転させることができる。また、充電及びファン制御部４２は、筐体１１が充電台６２の所定位置に所定の姿勢で載置されており、且つ、コネクタＣ２に外部電源端子６４が接続されている場合には、バッテリ４０の充電を行うとともに外部電源端子６４から給電される電力でファン６８を回転させることができる。
【産業上の利用可能性】
【００８８】
以上のように、本発明にかかる携帯ユニット及び携帯電子機器は、画像を表示する画像表示部を有するのに有用である。
【符号の説明】
【００８９】
１  携帯ユニット
１０  携帯電子機器
１１  筐体
１２  ディスプレイ
１３  操作キー
１４  専用キー
１５  マイク
１６  レシーバ
２２  制御部
２４  記憶部
２６  送受信部
２６ａ  アンテナ
２８  操作部
３０  音声処理部
３２  表示部
３４  プロジェクタ
４０  バッテリ
４２  充電及びファン制御部
６２  充電台
６４  外部電源端子
６６  レンズ部
６８  ファン
７０  システムＩＣ
Ｃ１、Ｃ２  コネクタ
Ｄ１〜Ｄ３  ダイオード
Ｐ０〜Ｐ３、Ｐ１０〜Ｐ１３  端子
Ｒ０〜Ｒ３  抵抗
ＳＷ１  スイッチ
Ｔｒ１  トランジスタ
【図１】
2011176643.tif 000008
【図２】
2011176643.tif 000009
【図３】
2011176643.tif 000010
【図４】
2011176643.tif 000011
【図５】
2011176643.tif 000012
【図６】
2011176643.tif 000013
【図７】
2011176643.tif 000014
【図８−１】
2011176643.tif 000015
【図８−２】
2011176643.tif 000016